【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  プロスタグランジン製品であって、以下：
ａ）水性プロスタグランジン組成物であって、薬学的に有効量の少なくとも１種のプロスタグランジンおよび薬学的に受容可能な界面活性剤を含む、組成物；および
ｂ）ポリプロピレン容器；ここで、該水性プロスタグランジン組成物は該ポリプロピレン容器に詰められる、
を含む、製品。
【請求項２】  請求項１に記載のプロスタグランジン製品であって、ここで、前記プロスタグランジンが、（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸（ｐｒｏｓｔｅｎｏｉｃ  ａｃｉｄ）；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸ｔ−ブチルエステル；（５Ｚ）−（９Ｓ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；（５Ｚ）−（９Ｒ，１１Ｒ，１５Ｓ）−９−クロロ−１５−シクロヘキシル−１１，１５−ジヒドロキシ−３−オキサ−１６，１７，１８，１９，２０−ペンタノル−５−プロステン酸イソプロピルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アミド；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸Ｎ，Ｎ−ジメチルアミド；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロヘキシルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロペンチルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸シクロペンチルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，２−ジメチルプロピルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アダマンチルエステル（ａｄａｍａｎｔｙｌ  ｅｓｔｅｒ）；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジイソプロピルフェニルエステル；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジメチルフェニルエステル；（５Ｚ，１３Ｅ）−（９Ｓ，１１Ｒ，１５Ｒ）−３−オキサ−９，１１，１５−トリヒドロキシ−１６−（３−クロロフェノキシ）−１７，１８，１９，２０−テトラノル−５，１３−プロスタジエン酸イソプロピルエステル（ｐｒｏｓｔａｄｉｅｎｏｉｃ  ａｃｉｄ  ｉｓｏｐｒｏｐｙｌ  ｅｓｔｅｒ）；（５Ｚ）−（９Ｒ，１１Ｒ，１５Ｒ）−９−クロロ−１５−シクロヘキシル−１１−ヒドロキシ−１５−メトキシ−３−オキサ−１６，１７，１８，１９，２０−ペンタノル−５−プロステン酸ｔ−ブチルエステル；（５Ｚ）−（９Ｒ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；（５Ｅ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；（５Ｚ）−（９Ｒ，１１Ｒ）−９−クロロ−１５−シクロヘキシル−１１−ヒドロキシ−３−オキサ−１５−オキソ−１６，１７，１８，１９，２０−ペンタノル−５−プロステン酸ｔｅｒｔブチルエステル；（５Ｚ）−（９Ｓ，１１Ｒ，１５Ｒ）−３−オキサ−１７−フェニル−９，１１，１５−トリヒドロキシ−１８，１９，２０−トリノル−５−プロステン酸イソプロピルエステル；（５Ｚ）−（９Ｒ，１１Ｒ，１５Ｒ）−９−クロロ−１５−シクロヘキシル−１−（ジメチルアミノ）−３−オキサ−１６，１７，１８，１９，２０−ペンタノル−５−プロステン−１１，１５−ジオール；（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステノール；（９Ｒ，１１Ｒ，１５Ｒ）−９−クロロ−１５−シクロヘキシル−１１−ヒドロキシ−３−チア−１６，１７，１８，１９，２０−ペンタノル−１３−プロスチン酸（ｐｒｏｓｔｙｎｏｉｃ  ａｃｉｄ）；ラタノプロスト（ｌａｔａｎｏｐｒｏｓｔ）（ＰｈＸＡ４１）；クロプロステノール（ｃｌｏｐｒｏｓｔｅｎｏｌ）イソプロピルエステル；（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５−プロステン酸；（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５，１３−プロスタジエン酸；（５Ｚ）−（９Ｒ，１１Ｒ，１５Ｒ）−９−クロロ−１５−シクロヘキシル−１１，１５−ジヒドロキシ−１６，１７，１８，１９，２０−ペンタノル−５−プロステン酸イソプロピルエステル；（５Ｚ）−（９Ｓ，１１Ｒ，１５Ｓ）−１５−シクロヘキシル−９，１１，１５−トリヒドロキシ−１６，１７，１８，１９，２０−ペンタノル−５−プロステン酸イソプロピルエステル；（５���，１３Ｅ）−（９Ｓ，１１Ｒ，１５Ｒ）−９，１１，１５−トリヒドロキシ−１６−（３−クロロフェノキシ）−１７，１８，１９，２０−テトラノル−５，１３−プロスタジエン酸アミド；
【化１】
2002520368.tif 000001
およびフルプロステノール（ｆｌｕｐｒｏｓｔｅｎｏｌ）イソプロピルエステルからなる群より選択される、製品。
【請求項３】  請求項２に記載のプロスタグランジン製品であって、ここで、前記プロスタグランジンが、（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；およびフルプロステノールイソプロピルエステルからなる群より選択される、製品。
【請求項４】  請求項１に記載のプロスタグランジン製品であって、ここで、前記組成物が局所的な眼用投与に適応され、そして前記界面活性剤がポリエトキシル化ヒマシ油を含む、製品。
【請求項５】  請求項４に記載のプロスタグランジン製品であって、ここで、前記ポリエトキシル化ヒマシ油が、ＰＥＧ−２〜ＰＥＧ−２００ヒマシ油；およびＰＥＧ−５〜ＰＥＧ−２００水素化ヒマシ油からなる群より選択される、製品。
【請求項６】  請求項１に記載のプロスタグランジン製品であって、ここで、前記ポリプロピレン容器が、局所的な送達のために適応されるポリプロピレンビンであって、そしてここで、該ポリプロピレンが、アイソタクチックポリプロピレン、シンジオタクチックポリプロピレンおよびアイソタクチックポリプロピレンとシンジオタクチックポリプロピレンのブレンドからなる群より選択される、製品。
【請求項７】  請求項１に記載のプロスタグランジン製品であって、ここで、前記水性プロスタグランジン組成物が局所的な眼用投与のために適応され、そして前記ポリプロピレン容器が、局所的な眼用送達のために適応される少量ビンである、製品。
【請求項８】  請求項７に記載のプロスタグランジン製品であって、ここで、前記ポリプロピレン容器が、楕円形の、シンジオタクチックポリプロピレンビンである、製品。
【請求項９】  請求項８に記載のプロスタグランジン製品であって、ここで、前記水性プロスタグランジン組成物が、眼用に受容可能な保存剤を含む多用量組成物である、製品。
【手続補正２】
【補正対象書類名】明細書
【補正対象項目名】００３２
【補正方法】変更
【補正の内容】
【００３２】
【表１】
2002520368.tif 000002